(57)【要約】【課題】画像データの画像処理に関する技術を提供する。【解決手段】画像データに対して処理を行う画像処理装置であって、カラー発色領域の色を所定の印刷媒体上で再現するために用意された一つのメディアプロファイルを用いて、カラー発色領域および特殊光沢領域に対応する各々の画像データの色成分値を、それぞれ、調整カラー発色領域色成分値および調整特殊光沢領域色成分値に変換し、カラー発色領域の色を印刷装置が備えるインクのインク色で再現するために用意されたカラー用ルックアップテーブルを用いて、調整カラー発色領域色成分値を、各インクのインク量の組み合わせであるインク量セットに変換し、特殊光沢領域の少なくとも色相を印刷装置が備えるインクのインク色で再現するために用意された特殊光沢用ルックアップテーブルを用いて、調整特殊光沢領域色成分値をインク量セットに変換する。【選択図】図４
2012222501.tif 000002
【特許請求の範囲】
【請求項１】
カラーインクと特殊光沢を有する特殊光沢インクとを用いて印刷を行う印刷装置に、画像処理された印刷用の画像データを出力する画像処理装置であって、
基本色の組み合わせで表現されるカラー発色領域と、特殊光沢を用いて表現される特殊光沢領域とを含む印刷対象画像を表す画像データを入力する入力部と、
前記カラー発色領域の色を所定の印刷媒体上で再現するために用意された一つのメディアプロファイルを用いて、前記カラー発色領域および前記特殊光沢領域に対応する各々の前記画像データの色成分値を、それぞれ、調整カラー発色領域色成分値および調整特殊光沢領域色成分値に変換するメディアプロファイル変換モジュールと、
前記カラー発色領域の色を前記印刷装置が備えるインクのインク色で再現するために用意されたカラー用ルックアップテーブルを用いて、調整カラー発色領域色成分値を、前記各インクのインク量の組み合わせであるインク量セットに変換するカラー発色領域色変換モジュールと、
前記特殊光沢領域の少なくとも色相を前記印刷装置が備えるインクのインク色で再現するために用意された特殊光沢用ルックアップテーブルを用いて、調整特殊光沢領域色成分値を前記インク量セットに変換する特殊光沢領域色変換モジュールと、
を備える画像処理装置。
【請求項２】
請求項１記載の画像処理装置であって、
前記特殊光沢領域色変換モジュールが所定の色成分値を変換した後の前記インク量セットによって表される色の色相が、前記カラー発色領域色変換モジュールが前記所定の色成分値を変換した後の前記インク量セットによって表される色の色相に近づくように、前記特殊光沢用ルックアップテーブルの各格子点に記録されるインク量セットが調整されている
画像処理装置。
【請求項３】
請求項１または請求項２記載の画像処理装置であって、
前記特殊光沢領域は、金属光沢を有するメタリック領域であり、
前記特殊光沢インクは、金属光沢を有するメタリックインクである
画像処理装置。
【請求項４】
カラーインクと特殊光沢を有する特殊光沢インクとを用いて表現可能な特殊光沢画像において、該特殊光沢画像の色成分値を、前記各インクのインク量の組み合わせであるインク量セットに変換する特殊光沢用ルックアップテーブルの生成方法であって、
前記カラーインクのみで表現可能なカラー画像を表す色成分値を、前記インク量セットに変換するカラー用ルックアップテーブルを用いて、所定の色成分値を第１のインク量セットに変換する工程と、
同じ格子点位置に記録されている前記インク量セットにおいて前記カラーインクの総インク量が前記カラー用ルックアップテーブルよりも少ない調整用ルックアップテーブルを用いて、前記所定の色成分値を第２のインク量セットに変換する工程と、
前記第１のインク量セットと前記第２のインク量セットとに基づいて、前記第２のインク量セットによって表される色の色相を、前記第１のインク量セットによって表される色の色相に近づけるように前記第２のインク量セットの各インク色のインク量を調整し、新たな第２のインク量セットを取得する工程と、
前記取得した新たな第２のインク量セットによって前記調整用ルックアップテーブルを更新して前記特殊光沢用ルックアップテーブルとする工程と
を備える特殊光沢用ルックアップテーブルの生成方法。
【請求項５】
請求項４記載の特殊光沢用ルックアップテーブルの生成方法であって、
前記新たな第２のインク量セットを取得する工程は、
前記第１のインク量セットに基づいて、前記第１のインク量セットによって表される色の、明度の値Ｌ１、彩度の値Ｃ１、および色相角の値ｈ１を算出する工程と、
前記第２のインク量セットに基づいて、前記第２のインク量セットによって表される色の、明度の値Ｌ２、彩度の値Ｃ２、および色相角の値ｈ２を算出する工程と、
前記新たな第２のインク量セットによって表される色の、明度の値をＬｘ、彩度の値をＣｘ、色相角の値をｈｘ、および所定の重み付け係数をｗ１，ｗ２，ｗ３としたときに、
2012222501.tif 000005
（ｗ１≦ｗ３，ｗ２≦ｗ３）
の値が０に近づくように、前記新たな第２のインク量セットを最適化する工程と
を備える
特殊光沢用ルックアップテーブルの生成方法。
【請求項６】
カラーインクと特殊光沢を有する特殊光沢インクとを用いて印刷を行う印刷装置であって、
基本色の組み合わせで表現されるカラー発色領域と、特殊光沢を用いて表現される特殊光沢領域とを含む印刷対象画像を表す画像データを入力する入力部と、
前記カラー発色領域の色を所定の印刷媒体上で再現するために用意された一つのメディアプロファイルを用いて、前記カラー発色領域および前記特殊光沢領域に対応する各々の前記画像データの色成分値を、それぞれ、調整カラー発色領域色成分値および調整特殊光沢領域色成分値に変換するメディアプロファイル変換モジュールと、
前記カラー発色領域の色を前記印刷装置が備えるインクのインク色で再現するために用意されたカラー用ルックアップテーブルを用いて、調整カラー発色領域色成分値を、前記各インクのインク量の組み合わせであるインク量セットに変換するカラー発色領域色変換モジュールと、
前記特殊光沢領域の少なくとも色相を前記印刷装置が備えるインクのインク色で再現するために用意された特殊光沢用ルックアップテーブルを用いて、調整特殊光沢領域色成分値を前記インク量セットに変換する特殊光沢領域色変換モジュールと、
前記カラー発色領域色変換モジュールと前記特殊光沢領域色変換モジュールとによって変換した前記各インク量セットに基づいて印刷を行う印刷部と
を備える印刷装置。
【請求項７】
カラーインクと特殊光沢を有する特殊光沢インクとを用いて印刷を行う印刷装置に出力する印刷用の画像データの画像処理方法であって、
基本色の組み合わせで表現されるカラー発色領域と、特殊光沢を用いて表現される特殊光沢領域とを含む印刷対象画像を表す画像データを入力し、
前記カラー発色領域の色を所定の印刷媒体上で再現するために用意された一つのメディアプロファイルを用いて、前記カラー発色領域および前記特殊光沢領域に対応する各々の前記画像データの色成分値を、それぞれ、調整カラー発色領域色成分値および調整特殊光沢領域色成分値に変換し、
前記カラー発色領域の色を前記印刷装置が備えるインクのインク色で再現するために用意されたカラー用ルックアップテーブルを用いて、調整カラー発色領域色成分値を、前記各インクのインク量の組み合わせであるインク量セットに変換し、
前記特殊光沢領域の少なくとも色相を前記印刷装置が備えるインクのインク色で再現するために用意された特殊光沢用ルックアップテーブルを用いて、調整特殊光沢領域色成分値を前記インク量セットに変換する
画像処理方法。
【請求項８】
カラーインクと特殊光沢を有する特殊光沢インクとを用いて印刷を行う印刷装置に出力する印刷用の画像データを処理するための画像処理プログラムであって、
基本色の組み合わせで表現されるカラー発色領域と、特殊光沢を用いて表現される特殊光沢領域とを含む印刷対象画像を表す画像データを入力する機能と、
前記カラー発色領域の色を所定の印刷媒体上で再現するために用意された一つのメディアプロファイルを用いて、前記カラー発色領域および前記特殊光沢領域に対応する各々の前記画像データの色成分値を、それぞれ、調整カラー発色領域色成分値および調整特殊光沢領域色成分値に変換する機能と、
前記カラー発色領域の色を前記印刷装置が備えるインクのインク色で再現するために用意されたカラー用ルックアップテーブルを用いて、調整カラー発色領域色成分値を、前記各インクのインク量の組み合わせであるインク量セットに変換する機能と、
前記特殊光沢領域の少なくとも色相を前記印刷装置が備えるインクのインク色で再現するために用意された特殊光沢用ルックアップテーブルを用いて、調整特殊光沢領域色成分値を前記インク量セットに変換する機能を
コンピューターに実現させる画像処理プログラム。
【請求項９】
印刷装置によってカラーインクと特殊光沢を有する特殊光沢インクとを用いて印刷をするための画像データを、一つのメディアプロファイルによる処理を介して受け取り、画像処理を行う画像処理装置であって、
前記印刷を行うための印刷対象画像は、基本色の組み合わせで表現されるカラー発色領域と、特殊光沢を用いて表現される特殊光沢領域とを含み、前記一つのメディアプロファイルは、前記カラー発色領域の色を所定の印刷媒体上で再現するために用意されており、前記カラー発色領域および前記特殊光沢領域に対応する各々の前記画像データの色成分値を、それぞれ、調整カラー発色領域色成分値および調整特殊光沢領域色成分値に変換し当該画像処理装置に出力し、
前記カラー発色領域の色を前記印刷装置が備えるインクのインク色で再現するために用意されたカラー用ルックアップテーブルを用いて、調整カラー発色領域色成分値を、前記各インクのインク量の組み合わせであるインク量セットに変換するカラー発色領域色変換モジュールと、
前記特殊光沢領域の少なくとも色相を前記印刷装置が備えるインクのインク色で再現するために用意された特殊光沢用ルックアップテーブルを用いて、調整特殊光沢領域色成分値を前記インク量セットに変換する特殊光沢領域色変換モジュールと
を備える画像処理装置。
【請求項１０】
カラーインクと特殊光沢を有する特殊光沢インクとを用いて印刷を行う印刷装置に出力する印刷用の画像データを処理する画像処理装置であって、
基本色の組み合わせで表現されるカラー発色領域と、特殊光沢を用いて表現される特殊光沢領域とを含む前記印刷対象画像を表す画像データを入力する入力部と、
前記カラー発色領域の色が所定の印刷媒体上で再現されるように、前記画像データの色成分値を、調整した色成分値に変換するための一つのメディアプロファイルと、
前記カラー発色領域の色が前記印刷装置が備えるインクのインク色で再現されるように、前記調整した色成分値を前記インクのインク量に変換するためのカラー用ルックアップテーブルと、
前記特殊光沢領域の少なくとも色相が前記印刷装置が備えるインクのインク色で再現されるように、前記調整した色成分値を前記インクのインク量に変換するための特殊光沢用ルックアップテーブルと
を備える画像処理装置。
【発明の詳細な説明】
【技術分野】
【０００１】
本発明は、画像処理装置に関し、詳しくは、カラーインクと特殊光沢を有する特殊光沢インクとを備える印刷装置に、画像処理された印刷用の画像データを出力する画像処理装置の技術に関する。
【背景技術】
【０００２】
印刷技術として、例えば、シアン（Ｃ）、マゼンダ（Ｍ）、イエロー（Ｙ）、ブラック（Ｋ）などのカラーインクと、特殊光沢色（例えば、金属光沢やパールホワイト）のインクとを用いて印刷を行う技術が知られている（例えば、特許文献１）。このような印刷を行う場合、カラーインクのみで表現される領域（以下、カラー発色領域とも呼ぶ）と、カラーインクに加え特殊光沢色を用いて表現されている領域（以下、特殊光沢領域とも呼ぶ）とでは、同じ色彩値を表す場合でも、各領域で用いるカラーインクのインク量は異なる。よって、印刷処理の１つとして行う色変換処理において用いるルックアップテーブル（以下、ＬＵＴとも呼ぶ）は、印刷対象画像のうちカラー発色領域の各色成分の階調値（以下、色成分値とも呼ぶ）を印刷装置の備えるインク量セットに変換するために用いるＬＵＴ（以下、Ｃ-ＬＵＴとも呼ぶ）と、特殊色領域の色成分値をインク量セットに変換するために用いるＬＵＴ（以下、Ｓ-ＬＵＴ）との２つを用意する。
【０００３】
ところで、印刷を行う場合、所定の印刷媒体上で、印刷対象画像の本来の色を再現するため、画像データに対してメディアプロファイルを用いて各色成分値を増減する変換を行う。上述した特殊光沢色のインクを用いて印刷を行う場合には、Ｃ−ＬＵＴとＳ−ＬＵＴの各々に対して、それぞれ各ＬＵＴの特性に合わせたメディアプロファイルを用意する必要があった。そのため、色変換処理を行う場合、２つのメディアプロファイルを記憶するために記憶領域を大幅に確保しなければならないと言う課題が指摘されていた。
【先行技術文献】
【特許文献】
【０００４】
【特許文献１】特開２０１０−５２２２５号公報
【発明の概要】
【発明が解決しようとする課題】
【０００５】
上記の問題を踏まえ、本発明が解決しようとする課題は、特殊光沢色を用いた印刷を行う際に用いるメディアプロファイルのために確保する記憶容量を少なくすることである。
【課題を解決するための手段】
【０００６】
本発明は、上述の課題の少なくとも一部を解決するためになされたものであり、以下の形態又は適用例として実現することが可能である。
【０００７】
[適用例１]
カラーインクと特殊光沢を有する特殊光沢インクとを用いて印刷を行う印刷装置に、画像処理された印刷用の画像データを出力する画像処理装置であって、基本色の組み合わせで表現されるカラー発色領域と、特殊光沢を用いて表現される特殊光沢領域とを含む印刷対象画像を表す画像データを入力する入力部と、前記カラー発色領域の色を所定の印刷媒体上で再現するために用意された一つのメディアプロファイルを用いて、前記カラー発色領域および前記特殊光沢領域に対応する各々の前記画像データの色成分値を、それぞれ、調整カラー発色領域色成分値および調整特殊光沢領域色成分値に変換するメディアプロファイル変換モジュールと、前記カラー発色領域の色を前記印刷装置が備えるインクのインク色で再現するために用意されたカラー用ルックアップテーブルを用いて、調整カラー発色領域色成分値を、前記各インクのインク量の組み合わせであるインク量セットに変換するカラー発色領域色変換モジュールと、前記特殊光沢領域の少なくとも色相を前記印刷装置が備えるインクのインク色で再現するために用意された特殊光沢用ルックアップテーブルを用いて、調整特殊光沢領域色成分値を前記インク量セットに変換する特殊光沢領域色変換モジュールと、を備える画像処理装置。
【０００８】
この画像処理装置によると、カラー発色領域および特殊光沢領域に対応する各色成分値を、それぞれ、調整カラー発色領域色成分値および調整特殊光沢領域色成分値に変換する際に、１つのメディアプロファイルによって行うので、メディアプロファイルを読み込むために確保する記憶容量を少なくすることができる。さらに、印刷対象画像の特殊光沢領域の少なくとも色相を前記印刷装置が備えるインクのインク色で再現することができる。また、特殊光沢とは、金属光沢やパールホワイトなどの特殊な光沢の質感を意味し、特殊光沢インクとは、特殊光沢を印刷後の印刷画像において表現するために用いるインクである。
【０００９】
[適用例２]
適用例１記載の画像処理装置であって、前記特殊光沢領域色変換モジュールが所定の色成分値を変換した後の前記インク量セットによって表される色の色相が、前記カラー発色領域色変換モジュールが前記所定の色成分値を変換した後の前記インク量セットによって表される色の色相に近づくように、前記特殊光沢用ルックアップテーブルの各格子点に記録されるインク量セットが調整されている画像処理装置。
【００１０】
この画像処理装置によると、印刷対象画像における所定の色を、カラー発色領域として印刷して再現した場合と、特殊光沢領域として印刷して再現した場合とで、色相を略等しくすることができる。
【００１１】
[適用例３]
適用例１または適用例２記載の画像処理装置であって、前記特殊光沢領域は、金属光沢を有するメタリック領域であり、前記特殊光沢インクは、金属光沢を有するメタリックインクである画像処理装置。
【００１２】
この画像処理装置によると、カラー発色領域とメタリック領域とを含む印刷対象画像を表す画像データに対応している。
【００１３】
[適用例４]
カラーインクと特殊光沢を有する特殊光沢インクとを用いて表現可能な特殊光沢画像において、該特殊光沢画像の色成分値を、前記各インクのインク量の組み合わせであるインク量セットに変換する特殊光沢用ルックアップテーブルの生成方法であって、前記カラーインクのみで表現可能なカラー画像を表す色成分値を、前記インク量セットに変換するカラー用ルックアップテーブルを用いて、所定の色成分値を第１のインク量セットに変換する工程と、同じ格子点位置に記録されている前記インク量セットにおいて前記カラーインクの総インク量が前記カラー用ルックアップテーブルよりも少ない調整用ルックアップテーブルを用いて、前記所定の色成分値を第２のインク量セットに変換する工程と、前記第１のインク量セットと前記第２のインク量セットとに基づいて、前記第２のインク量セットによって表される色の色相を、前記第１のインク量セットによって表される色の色相に近づけるように前記第２のインク量セットの各インク色のインク量を調整し、新たな第２のインク量セットを取得する工程と、前記取得した新たな第２のインク量セットによって前記調整用ルックアップテーブルを更新して前記特殊光沢用ルックアップテーブルとする工程とを備える特殊光沢用ルックアップテーブルの生成方法。
【００１４】
この生成方法によって生成した特殊光沢用ルックアップテーブルと、カラー用ルックアップテーブルとは、同一の格子点位置に格納されているインク量セットによって表される色の色相を略均等にすることができる。
【００１５】
[適用例５]
適用例４記載の特殊光沢用ルックアップテーブルの生成方法であって、前記新たな第２のインク量セットを取得する工程は、前記第１のインク量セットに基づいて、前記第１のインク量セットによって表される色の、明度の値Ｌ１、彩度の値Ｃ１、および色相角の値ｈ１を算出する工程と、前記第２のインク量セットに基づいて、前記第２のインク量セットによって表される色の、明度の値Ｌ２、彩度の値Ｃ２、および色相角の値ｈ２を算出する工程と、前記新たな第２のインク量セットによって表される色の、明度の値をＬｘ、彩度の値をＣｘ、色相角の値をｈｘ、および所定の重み付け係数をｗ１，ｗ２，ｗ３としたときに、
2012222501.tif 000003
（ｗ１≦ｗ３，ｗ２≦ｗ３）
の値が０に近づくように、前記新たな第２のインク量セットを最適化する工程とを備える特殊光沢用ルックアップテーブルの生成方法。
【００１６】
この特殊光沢用ルックアップテーブルの生成方法によると、各インク量セットをＬ*Ｃ*ｈ（明度、彩度、色相角）の表色系として評価して最適化を行っているので、特殊光沢用ルックアップテーブルと、カラー用ルックアップテーブルとにおける、同一の格子点位置に格納されているインク量セットによって表される色の色相を、精度良く、略均等にすることができる。
【００１７】
[適用例６]
カラーインクと特殊光沢を有する特殊光沢インクとを用いて印刷を行う印刷装置であって、基本色の組み合わせで表現されるカラー発色領域と、特殊光沢を用いて表現される特殊光沢領域とを含む印刷対象画像を表す画像データを入力する入力部と、前記カラー発色領域の色を所定の印刷媒体上で再現するために用意された一つのメディアプロファイルを用いて、前記カラー発色領域および前記特殊光沢領域に対応する各々の前記画像データの色成分値を、それぞれ、調整カラー発色領域色成分値および調整特殊光沢領域色成分値に変換するメディアプロファイル変換モジュールと、前記カラー発色領域の色を前記印刷装置が備えるインクのインク色で再現するために用意されたカラー用ルックアップテーブルを用いて、調整カラー発色領域色成分値を、前記各インクのインク量の組み合わせであるインク量セットに変換するカラー発色領域色変換モジュールと、前記特殊光沢領域の少なくとも色相を前記印刷装置が備えるインクのインク色で再現するために用意された特殊光沢用ルックアップテーブルを用いて、調整特殊光沢領域色成分値を前記インク量セットに変換する特殊光沢領域色変換モジュールと、前記カラー発色領域色変換モジュールと前記特殊光沢領域色変換モジュールとによって変換した前記各インク量セットに基づいて印刷を行う印刷部とを備える印刷装置。
【００１８】
この印刷装置によると、カラー発色領域および特殊光沢領域に対応する各色成分値を、それぞれ、調整カラー発色領域色成分値および調整特殊光沢領域色成分値に変換する際に、１つのメディアプロファイルによって行うので、メディアプロファイルを読み込むために必要な記憶容量を少なくすることができる。また、印刷対象画像の特殊光沢領域の少なくとも色相を印刷装置が備えるインクのインク色で再現することができる。
【００１９】
[適用例７]
カラーインクと特殊光沢を有する特殊光沢インクとを用いて印刷を行う印刷装置に出力する印刷用の画像データの画像処理方法であって、基本色の組み合わせで表現されるカラー発色領域と、特殊光沢を用いて表現される特殊光沢領域とを含む印刷対象画像を表す画像データを入力し、前記カラー発色領域の色を所定の印刷媒体上で再現するために用意された一つのメディアプロファイルを用いて、前記カラー発色領域および前記特殊光沢領域に対応する各々の前記画像データの色成分値を、それぞれ、調整カラー発色領域色成分値および調整特殊光沢領域色成分値に変換し、前記カラー発色領域の色を前記印刷装置が備えるインクのインク色で再現するために用意されたカラー用ルックアップテーブルを用いて、調整カラー発色領域色成分値を、前記各インクのインク量の組み合わせであるインク量セットに変換し、前記特殊光沢領域の少なくとも色相を前記印刷装置が備えるインクのインク色で再現するために用意された特殊光沢用ルックアップテーブルを用いて、調整特殊光沢領域色成分値を前記インク量セットに変換する画像処理方法。
【００２０】
この画像処理方法によると、カラー発色領域および特殊光沢領域に対応する各色成分値を、それぞれ、調整カラー発色領域色成分値および調整特殊光沢領域色成分値に変換する際に、１つのメディアプロファイルによって行うので、メディアプロファイルを読み込むために必要な記憶容量を少なくすることができる。また、印刷対象画像の特殊光沢領域の少なくとも色相を印刷装置が備えるインクのインク色で再現することができる。
【００２１】
[適用例８]
カラーインクと特殊光沢を有する特殊光沢インクとを用いて印刷を行う印刷装置に出力する印刷用の画像データを処理するための画像処理プログラムであって、基本色の組み合わせで表現されるカラー発色領域と、特殊光沢を用いて表現される特殊光沢領域とを含む印刷対象画像を表す画像データを入力する機能と、前記カラー発色領域の色を所定の印刷媒体上で再現するために用意された一つのメディアプロファイルを用いて、前記カラー発色領域および前記特殊光沢領域に対応する各々の前記画像データの色成分値を、それぞれ、調整カラー発色領域色成分値および調整特殊光沢領域色成分値に変換する機能と、前記カラー発色領域の色を前記印刷装置が備えるインクのインク色で再現するために用意されたカラー用ルックアップテーブルを用いて、調整カラー発色領域色成分値を、前記各インクのインク量の組み合わせであるインク量セットに変換する機能と、前記特殊光沢領域の少なくとも色相を前記印刷装置が備えるインクのインク色で再現するために用意された特殊光沢用ルックアップテーブルを用いて、調整特殊光沢領域色成分値を前記インク量セットに変換する機能をコンピューターに実現させる画像処理プログラム。
【００２２】
この画像処理プログラムによると、カラー発色領域および特殊光沢領域に対応する各色成分値を、それぞれ、調整カラー発色領域色成分値および調整特殊光沢領域色成分値に変換する際に、１つのメディアプロファイルによって行うことをコンピューターに実現させるので、コンピューターは、メディアプロファイルを読み込むために必要な記憶容量を少なくすることができる。
【００２３】
[適用例９]
印刷装置によってカラーインクと特殊光沢を有する特殊光沢インクとを用いて印刷をするための画像データを、一つのメディアプロファイルによる処理を介して受け取り、画像処理を行う画像処理装置であって、前記印刷を行うための印刷対象画像は、基本色の組み合わせで表現されるカラー発色領域と、特殊光沢を用いて表現される特殊光沢領域とを含み、前記一つのメディアプロファイルは、前記カラー発色領域の色を所定の印刷媒体上で再現するために用意されており、前記カラー発色領域および前記特殊光沢領域に対応する各々の前記画像データの色成分値を、それぞれ、調整カラー発色領域色成分値および調整特殊光沢領域色成分値に変換し当該画像処理装置に出力し、前記カラー発色領域の色を前記印刷装置が備えるインクのインク色で再現するために用意されたカラー用ルックアップテーブルを用いて、調整カラー発色領域色成分値を、前記各インクのインク量の組み合わせであるインク量セットに変換するカラー発色領域色変換モジュールと、前記特殊光沢領域の少なくとも色相を前記印刷装置が備えるインクのインク色で再現するために用意された特殊光沢用ルックアップテーブルを用いて、調整特殊光沢領域色成分値を前記インク量セットに変換する特殊光沢領域色変換モジュールとを備える画像処理装置。
【００２４】
この画像処理装置によると、１のメディアプロファイルで処理された調整カラー発色領域色成分値および調整特殊光沢領域色成分値を適切に処理し、特殊光沢領域については、その色相を、印刷装置が備えるインクのインク色で再現できるように調整特殊光沢領域色成分値をインク量セットに変換することができる。
【００２５】
[適用例１０]
カラーインクと特殊光沢を有する特殊光沢インクとを用いて印刷を行う印刷装置に出力する印刷用の画像データを処理する画像処理装置であって、基本色の組み合わせで表現されるカラー発色領域と、特殊光沢を用いて表現される特殊光沢領域とを含む前記印刷対象画像を表す画像データを入力する入力部と、前記カラー発色領域の色が所定の印刷媒体上で再現されるように、前記画像データの色成分値を、調整した色成分値に変換するための一つのメディアプロファイルと、前記カラー発色領域の色が前記印刷装置が備えるインクのインク色で再現されるように、前記調整した色成分値を前記インクのインク量に変換するためのカラー用ルックアップテーブルと、前記特殊光沢領域の少なくとも色相が前記印刷装置が備えるインクのインク色で再現されるように、前記調整した色成分値を前記インクのインク量に変換するための特殊光沢用ルックアップテーブルとを備える画像処理装置。
【００２６】
この画像処理装置によると、カラー発色領域および特殊光沢領域に対応する各色成分値を、それぞれ、調整カラー発色領域色成分値および調整特殊光沢領域色成分値に変換する際に、１つのメディアプロファイルによって行うので、メディアプロファイルのために確保する記憶容量を少なくすることができる。
【図面の簡単な説明】
【００２７】
【図１】印刷システム１０の概略構成について説明した説明図である。
【図２】プリンター２００の構成図である。
【図３】印刷処理の流れについて説明したフローチャートである。
【図４】Ｍｔ−ＬＵＴ５２の生成方法を説明する説明図である。
【図５】Ｃ−ＬＵＴおよび調整用Ｍｔ-ＬＵＴの特性を説明する説明図である。
【発明を実施するための形態】
【００２８】
本発明の実施の形態を実施例に基づいて説明する。
Ａ．第１実施例：
（Ａ１）システム構成：
図１は、本発明の第１実施例としての印刷システム１０の概略構成について説明した説明図である。印刷システム１０は、印刷制御装置としてのコンピューター１００と、コンピューター１００の制御の下で実際に画像を印刷するプリンター２００とで構成されている。印刷システム１０は、全体が一体となって広義の印刷装置として機能する。
【００２９】
コンピューター１００には、ＣＰＵ２０と、ＲＯＭ６０と、ＲＡＭ６２と、ハードディスク（ＨＤＤ）６４とを備える。また、コンピューター１００は、ディスプレイ７０、キーボード７２、マウス７４と、各ケーブルにより接続されている。コンピューター１００には、所定のオペレーティングシステムがインストールされており、このオペレーティングシステムの下で、アプリケーションプログラム３０、ビデオドライバー４０、プリンタードライバー５０が動作している。これらのプログラムの機能は、ＲＯＭ６０、又はＲＡＭ６２、ＨＤＤ６４に記憶されており、ＣＰＵ２０が、各プログラムをこれらの記憶領域から読み出して実行することにより実現される。
【００３０】
アプリケーションプログラム３０は、ユーザーが画像を生成するためのプログラムである。アプリケーションプログラム３０によって生成された画像（以下、印刷対象画像とも呼ぶ）の画像データを画像データＯＲＧとも呼ぶ。画像データＯＲＧは基本色の組み合わせで表現される領域（以下、カラー発色領域とも呼ぶ）と、金属光沢を用いて表現される領域（以下、メタリック領域とも呼ぶ）とを有している。ユーザーは生成する画像の任意の領域をメタリック領域として指定することができる。
【００３１】
ユーザーがアプリケーションプログラム３０によって印刷対象画像を生成した際には、画像データＯＲＧの各画素のデータ（以下、画素データとも呼ぶ）における色成分値は、レッド（Ｒ）、グリーン（Ｇ）、ブルー（Ｂ）の表色系で記録されている。以下、ユーザーが生成した直後の画像データＯＲＧを画像データＯＲＧ（０）とも呼ぶ。また、画像データＯＲＧ（０）の各画素データには、当該画素がカラー発色領域に属する画素であるか、メタリック領域に属する画素であるかを示すチャネル（以下、αチャネルとも呼ぶ）が設けられている。
【００３２】
アプリケーションプログラム３０は、画像データＯＲＧ（０）の各画素の色成分値を、ユーザーが選択した印刷標準色（例えば、ジャパンカラー）に変換するためのソースプロファイル３１と、印刷対象の画像の色を印刷媒体上で再現するためのメディアプロファイル３２とを、ＨＤＤ６４からＲＡＭ６２に読み込んで備える。本実施例では、印刷標準色はユーザーが設定するが、アプリケーションプログラム３０が予め設定しているとしてもよい。また、印刷標準色として、ＳＷＯＰ（米国における印刷標準色）や、Euro Standard Color（ヨーロッパにおける印刷標準色）を選択可能としてもよい。ソースプロファイル３１は、１組の（Ｒ，Ｇ，Ｂ）の色成分値（以下、ＲＧＢ値とも呼ぶ）に対して、１組の（Ｌ*，ａ*，ｂ*）の値（以下、Ｌ*ａ*ｂ*値とも呼ぶ）を出力する３次元ルックアップテーブルであり、ＲＧＢの表色系で表現された画像データＯＲＧ（０）を、デバイスに依存しないＬ*ａ*ｂ*の表色系の画像データＯＲＧ（１）に変換しつつ、画像データＯＲＧ（１）に基づいて印刷をした際に、生成された印刷画像が、予め設定された印刷標準色の色で表現されるように各Ｌ*、ａ*、ｂ*の各値を決定する。
【００３３】
メディアプロファイル３２は、１組のＬ*ａ*ｂ*値に対して１組のＲＧＢ値を出力する３次元ルックアップテーブルであり、Ｌ*ａ*ｂ*の表色系で表現された画像データＯＲＧ（１）を、ＲＧＢの表色系で表現される画像データＯＲＧ（２）に変換しつつ、ユーザーが選択した印刷媒体上（例えば白色の普通紙）で、印刷画像の色が再現されるように各Ｒ、Ｇ、Ｂの各値を決定する。
【００３４】
プリンタードライバー５０は、カラー発色領域の各画素データを、プリンター２００が備えるインク色のインク量の組み合わせ（以下、インク量セットとも呼ぶ）に変換（以下、色変換とも呼ぶ）するためのＬＵＴ５１（以下、Ｃ−ＬＵＴ５１とも呼ぶ）と、メタリック領域の各画素データを、プリンター２００が備えるインク色のインク量セットに変換するためのＬＵＴ５２（以下、Ｍｔ−ＬＵＴ５２とも呼ぶ）とを備える。これらのＬＵＴは、ＣＰＵ２０がプリンタードライバー５０のプログラムを起動した際に、ＨＤＤ６４からＲＡＭ６２に読み込んで色変換に用いる。
【００３５】
ここで、メディアプロファイル３２と、Ｃ−ＬＵＴ５１およびＭｔ−ＬＵＴ５２の関係について説明する。メディアプロファイル３２は、Ｃ−ＬＵＴ５１と共に用いられることを前提に生成されたプロファイルである。すなわち、カラー発色領域に属する画素の色成分値を、当該メディアプロファイル３２とＣ−ＬＵＴ５１とを介してインク量セットに変換して印刷を行うと、ユーザーが指定した印刷媒体上で、印刷対象画像の色が再現されるように、メディアプロファイル３２に入力されるＬ*ａ*ｂ*値と出力されるＲＧＢ値は対応付けて調整されている。さらに本実施例においては、メタリック領域に属する画素の色成分値も、メディアプロファイル３２を利用して変換し、その後に、Ｍｔ−ＬＵＴ５２を介してインク量セットに色変換される。よって、Ｍｔ−ＬＵＴ５２は、メディアプロファイル３２を利用して出力されたメタリック領域に属する画素の色成分値を、適切なインク量セットに変換できるように調整されて生成されている。Ｍｔ−ＬＵＴ５２の生成方法については、後で詳しく説明する。
【００３６】
プリンタードライバー５０は、さらに、色変換後のインク量セットに対して２値化処理を行いドットデータの生成処理（以下、ハーフトーン処理とも呼ぶ）を行うハーフトーンモジュール５３と、生成したドットデータをプリンター２００が印刷を実行する順に並べ替える処理を行うインターレースモジュール５４を備える。
【００３７】
ハーフトーンモジュール５３は、プリンタードライバー５０が予め用意しているディザマトリックス（図示省略）を用い、色変換されインク量セットで表現されている画像データＯＲＧ（３）を、ドットの分布によって表すハーフトーン処理を行い、ドットデータを生成する。インターレースモジュール５４は、生成されたドットデータのドットの並びを、プリンター２００に転送すべき順序に並べ替えて、印刷データとしてプリンター２００に出力すると共に、印刷開始コマンドや印刷終了コマンドなどの種々のコマンドをプリンター２００に出力することで、プリンター２００の制御を行う。
【００３８】
図２は、プリンター２００の構成図である。図２に示すように、プリンター２００は、紙送りモーター２３５によって印刷媒体Ｐを搬送する機構と、キャリッジモーター２３０によってキャリッジ２４０をプラテン２３６の軸方向に往復動させる機構と、キャリッジ２４０に搭載された印刷ヘッド２６０を駆動してインクの吐出及びドット形成を行う機構と、これらの紙送りモーター２３５，キャリッジモーター２３０，印刷ヘッド２６０及び操作パネル２２５との信号のやり取りを司る制御回路２２０とから構成されている。
【００３９】
キャリッジ２４０をプラテン２３６の軸方向に往復動させる機構は、プラテン２３６の軸と並行に架設され、キャリッジ２４０を摺動可能に保持する摺動軸２３３と、キャリッジモーター２３０との間に無端の駆動ベルト２３１を張設するプーリー２３２等から構成されている。
【００４０】
キャリッジ２４０には、Ｃ（シアン）・Ｍ（マゼンダ）・Ｙ（イエロー）・Ｋ（ブラック）・Ｌｃ（ライトシアン）・Ｌｍ（ライトマゼンダ）の各カラーインクに加え、金属光沢を有するメタリックインク（以下、Ｍｔとも呼ぶ）からなる、合計７色のインクがそれぞれ収容されたインクカートリッジ２４１〜２４７が搭載されている。キャリッジ２４０の下部の印刷ヘッド２６０には、上述の各色のインクに対応する５種類のノズル列２６１〜２６７が形成されている。各ノズルにはピエゾ素子が備えられており、制御回路２２０がピエゾ素子の収縮運動を制御することによって、プリンター２００は各インク色に対してドットを形成することが可能である。
【００４１】
キャリッジ２４０にインクカートリッジ２４１〜２４７を上方から装着すると、各カートリッジから各ノズル列２６１〜２６７へのインクの供給が可能となる。本実施例では、インクカートリッジ２４１〜２４７は、図２に示すように、キャリッジ２４０の主走査方向にＣ，Ｍ，Ｙ，Ｋ，Ｌｃ，Ｌｍ，Ｍｔの順に配列されている。
【００４２】
また、カラーインク（Ｃ，Ｍ，Ｙ，Ｋ，Ｌｃ，Ｌｍ）に加え、メタリックインク（Ｍｔ）を併用して印刷（以下、Ｍｔ印刷とも呼ぶ）を行う場合には、図に示すように、カラーインクを吐出する各ノズル列２６１〜２６６の副走査方向の後半部分と、メタリックインクを吐出するノズル列２６７の副走査方向の前半部分とを用いて印刷を行う。このように各ノズル列を用いて、印刷媒体Ｐに対して、先にメタリックインク（Ｍｔ）のドットを形成し、その上にカラーインクのドットを形成することによって、種々の色合いの金属光沢を印刷画像で表現することが可能である。
【００４３】
プリンター２００の制御回路２２０は、ＣＰＵや、ＲＯＭ、ＲＡＭ、ＰＩＦ（周辺機器インターフェース）等がバスで相互に接続されて構成されており、キャリッジモーター２３０及び紙送りモーター２３５の動作を制御することによってキャリッジ２４０の主走査動作及び副走査動作の制御を行う。また、ＰＩＦを介してコンピューター１００から出力された印刷データを受け取ると、制御回路２２０が、キャリッジ２４０の主走査あるいは副走査の動きに合わせて、印刷データに応じた駆動信号を印刷ヘッド２６０に供給し、各色のヘッドを駆動することが可能となっている。コンピューター１００が出力する印刷データは、色に関するデータとして、７色（Ｃ，Ｍ，Ｙ，Ｋ，Ｌｃ，Ｌｍ，Ｍｔ）のインク色に関するデータを含んでおり、プリンター２００は、この５色のインク色に関するデータを含む印刷データを受け取る。
【００４４】
以上のようなハードウェア構成を有するプリンター２００は、キャリッジモーター２３０を駆動することによって、印刷ヘッド２６０（各色のノズル列２６１〜２６７）を印刷媒体Ｐに対して主走査方向に往復動させ、また紙送りモーター２３５を駆動することによって、印刷媒体Ｐを副走査方向に移動させる。制御回路２２０は、キャリッジ２４０が往復動する動き（主走査）や、印刷媒体の紙送りの動き（副走査）に合わせて、印刷データに基づいて適切なタイミングでノズルを駆動することにより、印刷媒体Ｐ上の適切な位置に適切な色のインクドットを形成する。こうすることによって、プリンター２００は印刷媒体Ｐ上に画像を印刷することが可能となっている。なお、上述の構成では、各色のインクは、プリンター２００に搭載される脱着可能なカートリッジに収容されているが、プリンター２００とは分離して構成されたインク収容タンクなどに収容し、当該収容タンクとプリンター２００とを接続してもよい。あるいは、脱着不可能にプリンター２００と一体的に構成された収容容器に収容されていてもよい。
【００４５】
（Ａ２）印刷処理：
図３は、印刷システム１０においてＣＰＵ１０２が行う印刷処理の流れについて説明したフローチャートである。印刷処理について、図１および図３を用いて説明する。印刷処理は、ユーザーがアプリケーションプログラム３０上で、印刷を指示することによって開始される。
【００４６】
印刷処理が開始されると、ＣＰＵ１０２は、アプリケーションプログラム３０として、ソースプロファイル３１を用いて、ＲＧＢの表色系で表現されている画像データＯＲＧ（０）を、Ｌ*ａ*ｂ*の表色系で表現される画像データＯＲＧ（１）に変換する（図３：ステップＳ１０２）。具体的には、画像データＯＲＧ（１）に基づいて画像を印刷することにより得られる印刷画像の色が、ユーザーが設定した印刷標準色で表現されるように調整されたＬ*ａ*ｂ*値に変換する。
【００４７】
ソースプロファイル３１による変換後、ＣＰＵ１０２は、メディアプロファイル３２を用いて、Ｌ*ａ*ｂ*の表色系で表現される画像データＯＲＧ（１）を、ＲＧＢの表色系で表現される画像データＯＲＧ（２）に変換する（ステップＳ１０４）。具体的には、画像データＯＲＧ（２）の画像の色が、ユーザーが選択した印刷媒体上で再現されるように調整されたＲＧＢの色成分値に変換する。
【００４８】
ＣＰＵ１０２は、メディアプロファイル３２によってＲＧＢの表色系で表現される画像データＯＲＧ（２）に変換後、プリンタードライバー５０の機能として画像データＯＲＧ（２）を取得し（ステップＳ１０６）、各画素データのαチャネルに基づいて、処理の対象である画素（以下、注目画素とも呼ぶ）がカラー発色領域に属する画素であるか、メタリック領域に属する画素であるかを判断する（ステップＳ１１０）。注目画素がカラー発色領域の画素である場合は、ＣＰＵ１０２は、Ｃ―ＬＵＴ５１によって、画素データのＲＧＢの色成分値を、プリンター２００が備えるＣ，Ｍ，Ｙ，Ｋ，Ｌｃ，Ｌｍのインク量セットに色変換する（ステップＳ１１２）。一方、ステップＳ１１０において、注目画素ｎがメタリック領域である場合には、ＣＰＵ１０２は、Ｍｔ−ＬＵＴ５２によって、画素データのＲＧＢの各階調値を、プリンター２００が備えるＣ，Ｍ，Ｙ，Ｋの各インクに加え、メタリックインク（Ｍｔ）を含めたインク量セットに色変換する（ステップＳ１１４）。なお、画像データＯＲＧ（２）における、カラー発色領域に属する画素の画素データの色成分値が特許請求の範囲に記載の調整カラー発色領域色成分値に対応し、メタリック領域に属する画素の画素データの色成分値が特許請求の範囲に記載の調整特殊光沢領域色成分値に対応する。また、Ｃ−ＬＵＴ５１が特許請求の範囲に記載のカラー用ルックアップテーブルに対応し、Ｍｔ−ＬＵＴ５２が特許請求の範囲に記載の特殊光沢用ルックアップテーブルに対応する。
【００４９】
このようにして画像データＯＲＧ（２）を、プリンター２００が備えるインクのインク量セットのデータ（以下、インク量データまたは画像データＯＲＧ（３）とも呼ぶ）に変換後、インク量データに対してハーフトーン処理（ステップＳ１１６）、およびインターレース処理（ステップＳ１１８）を行い、プリンター２００において印刷を実行させる（ステップＳ１２０）。このようにして、印刷システム１０は印刷処理を行う。
【００５０】
（Ａ３）Ｍｔ−ＬＵＴ５２の生成方法：
次に、Ｍｔ−ＬＵＴ５２の生成方法およびその特性について説明する。図４は、Ｍｔ−ＬＵＴ５２の生成方法を説明する説明図である。Ｍｔ−ＬＵＴ５２は、ＲＧＢの色成分値をＣＭＹＫＭｔのインク量セットに変換する既存のルックアップテーブル（調整用Ｍｔ−ＬＵＴ５５とも呼ぶ）を最適化することで生成する。最適化を行うに際し、予め、調整用Ｍｔ−ＬＵＴ５５と、プリンタードライバー５０に組み込むＣ−ＬＵＴ５１とを用意する。
【００５１】
ここで、Ｃ−ＬＵＴ５１および調整用Ｍｔ−ＬＵＴ５５の特性について説明する。図５（Ａ）は、Ｃ−ＬＵＴ５１の特性について、シアン（Ｃ）およびライトシアン（Ｌｃ）のインク量を例に説明する説明図である。図５（Ａ）に示すように、Ｃ−ＬＵＴ５１は、ＲＧＢの色成分値に対して、濃色系インク（図５（Ａ）ではシアン（Ｃ））と淡色系インク（図５（Ａ）ではライトシアン（Ｌｃ））とを併用してインク量セットを定める。このため、画像データＯＲＧ（２）のカラー発色領域に属する画素データ（ＲＧＢ）が入力された場合、Ｃ−ＬＵＴ５１との照合により、濃色系インク（ＣＭＹＫ）に淡色系インク（ＬｃＬｍ）を加えたインク量セットに変換される。
【００５２】
図５（Ｂ）は、調整用Ｍｔ−ＬＵＴ５５の特性について説明する説明図である。調整用Ｍｔ−ＬＵＴ５５は、図５（Ｂ）に示すように、ＲＧＢの階調値に対して、濃色系インク（ＣＭＹＫ）についてのみインク量セットを定めると共に、図５（Ｃ）に示すように、調整用Ｍｔ−ＬＵＴ５５における各格子点において、メタリックインク（Ｍｔ）のインク量を一律（例えば、９０）に定めている。このため、仮に、画像データＯＲＧ（２）のカラー発色領域に属する画素データ（ＲＧＢ）が入力された場合、調整用Ｍｔ−ＬＵＴ５５との照合により、濃色系インク（ＣＭＹＫ）のインク量に変換されると共に、メタリックインク（Ｍｔ）については、同一のインク量に変換される。
【００５３】
また、Ｃ−ＬＵＴ５１と調整用Ｍｔ−ＬＵＴ５５とは、ＲＧＢ形式における色成分値が同じであった場合、各ＬＵＴによって変換後のカラーインクのインク量の合計量は、調整用Ｍｔ−ＬＵＴ５５の方が少なくなるように定められている。これは、メタリック領域はカラー発色領域と比較して、少ないカラーインクのインク量でカラー発色を達成できると言う知見によるものである（特開２０１０−５２２２５号公報参照）。
【００５４】
説明をＭｔ−ＬＵＴ５２の生成方法（図４）に戻す。上記説明したＣ−ＬＵＴ５１と調整用Ｍｔ−ＬＵＴ５５を用意した後、両ＬＵＴに、所定のＲＧＢ形式の色成分値（Ｒ１，Ｇ１，Ｂ１）を入力し、インク量セットに変換する。Ｃ−ＬＵＴ５１からは、ＣＭＹＫＬｃＬｍのカラーインクのインク量セット（以下、カラー発色領域用インク量セットＩｃ［ＣＭＹＫＬｃＬｍ］とも呼ぶ）が出力される。調整用Ｍｔ−ＬＵＴ５５からは、ＣＭＹＫのカラーインクのインク量に加え、メタリックインク（Ｍｔ）のインク量を含むインク量セット（以下、メタリック領域用インク量セットＩｍ［ＣＭＹＫＭｔ］とも呼ぶ）が出力される。
【００５５】
このようにして同じＲＧＢの色成分値を、各ＬＵＴによってインク量セットに変換後、メタリック領域用インク量セットＩｍ［ＣＭＹＫＭｔ］の各インク色Ｃ，Ｍ，Ｙ，Ｋ，Ｍｔのうち、Ｃ，Ｍ，Ｙ，Ｋの各インク量を調整することにより、調整後のメタリック領域用インク量セットＩｍ［ＣＭＹＫＭｔ］によって印刷を行った場合の印刷画像の色相が、カラー発色領域用インク量セットＩｃ［ＣＭＹＫＬｃＬｍ］によって印刷を行った場合の印刷画像の色相に近づくように調整する。以下、その調整方法を以下に具体的に説明する。
【００５６】
まず、Ｃ−ＬＵＴ５１によって出力されたカラー発色領域用インク量Ｉｃセット［ＣＭＹＫＬｃＬｍ］で印刷を行った場合の分光反射率を、カラー発色領域用の色予測モデルＭＤｃを用いて予測し、予測分光反射率を取得する（図４参照）。色予測モデルＭＤｃは、プリンター２００で使用される任意のカラーインクのインク量セット（Ｃｘ，Ｍｘ，Ｙｘ，Ｋｘ，Ｌｃｘ，Ｌｍｘ）で印刷を行った場合の分光反射率Ｒ（λｃ）を、予測分光反射率Ｒｓ（λｃ）として予測する予測モデルである。色予測モデルＭＤｃは、インク量空間における複数の代表点について実際にカラーパッチを印刷し、その分光反射率Ｒ（λｃ）を分光反射計によって測定することにより得られた分光反射率データベースを用い、セル分割ユール・ニールセン分光ノイゲバウアモデル（Cellular Yule-Nielsen Spectral Neugebauer Model）による予測を行うことにより、任意のインク量セット（Ｃｘ，Ｍｘ，Ｙｘ，Ｋｘ，Ｌｃｘ，Ｌｍｘ）で印刷を行った場合の予測分光反射率Ｒｓ（λｃ）を正確に取得する。
【００５７】
カラー発色領域用インク量セットＩｃ［ＣＭＹＫＬｃＬｍ］に基づいて予測分光反射率Ｒｓ（λｃ）を取得後、取得した予測分光反射率Ｒｓ（λｃ）に対応するＬ*（明度）、Ｃ*（彩度）、ｈ（色相角）の各値を取得する。具体的には、予測分光反射率Ｒｓ（λｃ）に基づいて、３刺激値Ｘ，Ｙ，Ｚを算出し、算出した３刺激値Ｘ，Ｙ，Ｚを所定の変換式によって変換することにより、色彩値としてのＬ*ａ*ｂ*値を得ることができる。そして、取得したＬ*ａ*ｂ*値に対して表色系の変換を行い、Ｌ*Ｃ*ｈ値（Ｌ１，Ｃ１，ｈ１）を取得する。
【００５８】
一方、色成分値（Ｒ１，Ｇ１，Ｂ１）からＣ−ＬＵＴ５１を経てＬ*Ｃ*ｈ値を取得した方法と同様の方法により、階調値（Ｒ１，Ｇ１，Ｂ１）から調整用Ｍｔ−ＬＵＴ５５を用いて変換したメタリック領域用インク量セットＩｍ［ＣＭＹＫＭｔ］でメタリック領域用の色予測モデルＭＤｍを用いて予測し、予測分光反射率を取得する。色予測モデルＭＤｍは、プリンター２００で使用される任意のカラーインクおよびメタリックインクのインク量セット（Ｃｘ，Ｍｘ，Ｙｘ，Ｋｘ，Ｍｔｘ）で印刷を行った場合の分光反射率Ｒ（λｍ）を、予測分光反射率Ｒｓ（λｍ）として予測する予測モデルである。色予測モデルＭＤｍも、色予測モデルＭＤｃと同様の方法によって生成されたモデルであり、任意のインク量セット（Ｃｘ，Ｍｘ，Ｙｘ，Ｋｘ、Ｍｔｘ）で印刷を行った場合の予測分光反射率Ｒｓ（λｍ）を得る。その後、上記Ｌ*Ｃ*ｈ値（Ｌ１，Ｃ１，ｈ１）を取得した方法と同様の方法によって、予測分光反射率Ｒｓ（λｍ）に基づいてＬ*Ｃ*ｈ値（Ｌ２，Ｃ２，ｈ２）を取得する。
【００５９】
このようにしてＬ*Ｃ*ｈ値（Ｌ１，Ｃ１，ｈ１）と、Ｌ*Ｃ*ｈ値（Ｌ２，Ｃ２，ｈ２）とを得ると、カラー発色領域用インク量セットＩｃ［ＣＭＹＫＬｃＬｍ］によって印刷を行った場合の色相に近づくように調整されたメタリック領域用インク量セットを調整後メタリック領域用インク量セットＩｍｘ［ＣＭＹＫＭｔ］と定義し、さらにこのインク量セットに対応するＬ*Ｃ*ｈ値を（Ｌｘ，Ｃｘ，ｈｘ）と定義する。そして、下記式（１）におけるτの値を０（ゼロ）に近づけるＬ*Ｃ*ｈ値（Ｌｘ，Ｃｘ，ｈｘ）に対する、調整後メタリック領域用インク量セットＩｍｘ［ＣＭＹＫＭｔ］を算出する。
【００６０】
【数１】
2012222501.tif 000004
（ｗ１≦ｗ３，ｗ２≦ｗ３）
【００６１】
式（１）におけるｗ１，ｗ２，ｗ３は重み付け係数である。本実施例においては、ｗ１＝０．５、ｗ２＝０．５、ｗ３＝１．０として算出する。すなわち、（Ｌｘ，Ｃｘ，ｈｘ）の特に色相（ｈｘ）の値をｈ１に近づけることに重視して調整後メタリック領域用インク量セットＩｍｘ［ＣＭＹＫＭｔ］を算出することを意味する。もとより、ｗ１，ｗ２，ｗ３の各値は、ｗ１≦ｗ３，ｗ２≦ｗ３の制限内で他の値を採用してもよい。具体的な算出方法としては、メタリック領域用インク量セットＩｍ［ＣＭＹＫＭｔ］のＣ、Ｍ，Ｙ，Ｋの各インク量を少しずつ増減させたインク量セットを、調整後メタリック領域用インク量セットＩｍｘ［ＣＭＹＫＭｔ］とし、調整後メタリック領域用インク量セットＩｍｘ［ＣＭＹＫＭｔ］に基づいて、色予測モデルＭＤｍおよび表色系の変換（Ｌ*ａ*ｂ*→Ｌ*Ｃ*ｈ）を行って、Ｌ*Ｃ*ｈ値（Ｌｘ，Ｃｘ，ｈｘ）の具体的な値を算出する。そして、算出したＬ*Ｃ*ｈ値（Ｌｘ，Ｃｘ，ｈｘ）の値を式（１）に代入し、τの値を算出する。この工程を、種々にＣ，Ｍ，Ｙ，Ｋのインク量を変化させた調整後メタリック領域用インク量セットＩｍｘ［ＣＭＹＫＭｔ］の組み合わせにおいて複数回行い、もっともτの値が小さいときの調整後メタリック領域用インク量セットＩｍｘ［ＣＭＹＫＭｔ］を、色成分値（Ｒ１，Ｇ１，Ｂ１）の格子点に格納するインク量セットとして調整用Ｍｔ−ＬＵＴ５５を更新する。
【００６２】
色成分値（Ｒ１，Ｇ１，Ｂ１）について行った一連の工程を、調整用Ｍｔ−ＬＵＴ５５の全ての格子点に対応するＲＧＢの値に対して行い、全ての格子点においてインク量セットを更新する。このようにして更新した後のＬＵＴをＭｔ−ＬＵＴ５２とする。このようにして生成したＭｔ−ＬＵＴ５２は、各格子点に格納されているインク量セットによって表される色の色相が、同じ格子点位置（Ｒ，Ｇ，Ｂ）におけるＣ−ＬＵＴ５１に格納されているインク量セットによって表される色の色相に略等しいと言う特性を備えている。このようにしてＭｔ−ＬＵＴ５２を生成する。
【００６３】
以上説明したように、この印刷システム１０では、画像データＯＲＧにおけるカラー発色領域およびメタリック領域に対応する各色成分値を、メディアプロファイルによって変換を行う際に、１つのメディアプロファイル（メディアプロファイル３２）によって行うので、メディアプロファイルを読み込むために確保する記憶容量を少なくすることができる。
【００６４】
また、Ｍｔ−ＬＵＴ５２の各格子点に格納されるインク量セットは、そのインク量セットによって表される色の色相が、Ｃ−ＬＵＴ５１における同一の格子点位置に格納されているインク量セットによって表される色の色相と略等しくなるように調整されている。従って、印刷対象画像における所定の色で表現された領域を、カラー発色領域とメタリック領域との両方で印刷した場合には、印刷画像における２つの領域において、その色相を略等しくすることができる。さらに、Ｍｔ−ＬＵＴ５２のインク量セットを調整することにより、メディアプロファイルはカラー発色領域用に生成された既存のメディアプロファイル３２をそのまま利用することができる。
【００６５】
Ｍｔ−ＬＵＴ５２の生成方法としては、調整用Ｍｔ−ＬＵＴ５５を最適化する際に、各インク量セットをＬ*Ｃ*ｈの表色系として評価して最適化を行っているので、Ｍｔ−ＬＵＴ５２と、Ｃ−ＬＵＴ５１とにおける、同一の格子点位置に格納されているインク量セットによって表される色の色相を、精度良く、略均等にすることができる。
【００６６】
Ｂ．変形例：
なお、この発明は上記の実施例や実施形態に限られるものではなく、その要旨を逸脱しない範囲において種々の態様において実施することが可能であり、例えば次のような変形も可能である。
（Ｂ１）変形例１：
上記実施例においては、Ｍｔ−ＬＵＴ５２の生成方法として、調整用Ｍｔ−ＬＵＴ５５を最適化する際に、各インク量セットをＬ*Ｃ*ｈの表色系として評価して最適化を行ったが、それに限ることなく、Ｌ*ａ*ｂ*の表色系の色空間において、調整後メタリック領域用インク量セットＩｍｘ［ＣＭＹＫＭｔ］の色相をカラー発色領域用インク量セットＩｃ［ＣＭＹＫＬｃＬｍ］に近づけるように最適化を行うなど、Ｌ*Ｃ*ｈの表色系以外の色空間で評価および最適化を行うとしてもよい。例えば、Ｌ*ａ*ｂ*の表色系の色空間で最適化を行う場合には、調整後メタリック領域用インク量セットＩｍｘ［ＣＭＹＫＭｔ］の各インク量を変化させて、その変化させたインク量セットに対応するＬ*ａ*ｂ*の点（Ｌｘ，ａｘ，ｂｘ）を、実際にＬ*ａ*ｂ*空間の座標にプロットする。そして、最適化の目標対象であるカラー発色領域用インク量セットＩｃ［ＣＭＹＫＬｃＬｍ］に対応するＬ*ａ*ｂ*空間における座標点に最も近い（Ｌｘ，ａｘ，ｂｘ）の点に対応する調整後メタリック領域用インク量セットＩｍｘ［ＣＭＹＫＭｔ］を採用して、調整用Ｍｔ−ＬＵＴ５５の更新を行う。このように、例えば、Ｌ*ａ*ｂ*の表色系の色空間において調整用Ｍｔ−ＬＵＴ５５を最適化を行うと、Ｍｔ−ＬＵＴ５２の生成の工程において（図４参照）、Ｌ*Ｃ*ｈの表色系への表色系変換の工程を省くことができる。
【００６７】
またこの他のＭｔ−ＬＵＴ５２の生成方法として、複数種類の調整後メタリック領域用インク量セットＩｍｘ［ＣＭＹＫＭｔ］で実際に印刷媒体にカラーパッチの印刷を行う。また、最適化の目標対象であるカラー発色領域用インク量セットＩｃ［ＣＭＹＫＬｃＬｍ］のカラーパッチの印刷を行う。そして、両カラーパッチを実際に測色し、カラー発色領域用インク量セットＩｃ［ＣＭＹＫＬｃＬｍ］のカラーパッチの色相に最も近い調整後メタリック領域用インク量セットＩｍｘ［ＣＭＹＫＭｔ］を採用し、調整用Ｍｔ−ＬＵＴ５５を最適化を行い、Ｍｔ−ＬＵＴ５２を生成するとしてもよい。この生成方法を採用すると、ＭＤｃ色予測モデルＭＤｃ、色予測モデルＭＤｍを用いた分光反射率の予測や、表色系変換等の工程を省くことができる。
【００６８】
（Ｂ２）変形例２：
上記実施例では、特殊光沢インクとして金属光沢を有するメタリックインクを採用して説明したが、特殊光沢インクとして、パールホワイトの質感を有するパールホワイトインクや、艶を表現する透明や半透明のクリアインク等の特殊光沢インクを採用することも可能である。これらのインクを採用することで、印刷画像として、種々の質感を表現することができる。
【００６９】
（Ｂ３）変化例３：
上記実施例では、Ｍｔ−ＬＵＴ５２の各格子点にメタリックインク（Ｍｔ）のインク量が格納されているとしたが、それに限ることなく、メタリックインクのインク量はＭｔ−ＬＵＴ５２の各格子点には格納せず、予め別にメタリックインク（Ｍｔ）のインク量をさだめているとしてもよい。
【００７０】
また、上記実施例では、メタリックインク（Ｍｔ）のインク量は一定としたが、可変であるとしてもよい。例えば、ユーザーがアプリケーションプログラム３０を用いて、指定したメタリック領域ごとにメタリック感の強度を設定し、その強度とメタリックインクのインク量とを対応つけた１次元のルックアップテーブルを、印刷システム１０が別途備えることで実現可能である。
【００７１】
（Ｂ４）変形例４：
上記実施例において、ＣＰＵ１０２がアプリケーションプログラム３０およびプリンタードライバー５０として行っていた機能（モジュール）の一部または全部を、コンピューター１００にインストールしたソフトウェアとしてのＲＩＰ（Raster image processor）が行うとしてもよいし、コンピューター１００、プリンター２００に接続したハードウェアとしてのＲＩＰが行うとしてもよい。
【００７２】
以上、本発明の実施形態について説明したが、本発明はこうした実施形態に限られるものではなく、本発明の要旨を脱しない範囲において、種々なる態様で実施できることは勿論である。例えば、本発明は、上述の実施形態で示したシリアル方式のインクジェットプリンターに限らず、インクジェット式のラインプリンタや、特殊光沢色のトナーを備えるレーザープリンターにも適用できる。また、本発明は、印刷装置としての構成のほか、印刷方法、プログラム、記憶媒体等としても実現することができる。
【符号の説明】
【００７３】
１０…印刷システム
２０…ＣＰＵ
３０…アプリケーションプログラム
３１…ソースプロファイル
３２…メディアプロファイル
４０…ビデオドライバー
５０…プリンタードライバー
５３…ハーフトーンモジュール
５４…インターレースモジュール
７０…ディスプレイ
７２…キーボード
７４…マウス
１００…コンピューター
１０２…ＣＰＵ
２００…プリンター
２２０…制御回路
２２５…操作パネル
２３０…キャリッジモーター
２３１…駆動ベルト
２３２…プーリー
２３３…摺動軸
２３５…モーター
２３６…プラテン
２４０…キャリッジ
２４１…インクカートリッジ
２６０…印刷ヘッド
２６１〜２６７…ノズル列
Ｐ…印刷媒体
ｎ…注目画素
ＯＲＧ，ＯＲＧ（０）〜ＯＲＧ（３）…画像データ
ＭＤｃ…色予測モデル
ＭＤｍ…色予測モデル
【図１】
2012222501.tif 000006
【図２】
2012222501.tif 000007
【図３】
2012222501.tif 000008
【図４】
2012222501.tif 000009
【図５】
2012222501.tif 000010